(57)【要約】  【課題】棚板及びトレーを任意の箇所に選択可能に設置することにより、収納家具の有するレイアウト性能を向上させる。  【解決手段】収納空間Ｓを上下方向に選択可能に区画する棚板Ｐと、収納空間Ｓを幅方向に選択可能に区画する縦仕切２とを取り付けることが可能である収納空間Ｓを有する収納家具１であって、収納空間Ｓにおいて対面する一対の立面に、所定ピッチで配列する棚取付孔ｈをそれぞれ位相を等しくして設け、該棚取付孔ｈを利用して棚板Ｐ及びトレー４１、４２、４３、４４を位置選択可能に取り付けられるようにした。  【選択図】図１
2005124748.tif 000002
【特許請求の範囲】
【請求項１】
収納空間を上下方向に選択可能に区画する棚板と、収納空間を幅方向に選択可能に区画する縦仕切とを取り付けることが可能である収納家具であって、
収納空間を区画した棚空間のうち、任意の棚空間にトレーを充填可能としていることを特徴とする収納家具。
【請求項２】
収納空間を上下方向に選択可能に区画する棚板と、
収納空間を幅方向に選択可能に区画する縦仕切とを取り付けることが可能である収納家具であって、
収納空間において対面する一対の立面に、所定ピッチで配列する棚取付孔をそれぞれ位相を等しくして設け、該棚取付孔を利用して棚板及びトレーを位置選択可能に取り付けられるようにしたことを特徴とする収納家具。
【請求項３】
前記トレーが、前記所定ピッチの寸法若しくはその倍数に基づいて高さ寸法が設定されているものである請求項２に記載の収納家具。
【請求項４】
収納空間の有効高さ寸法、縦仕切の高さ寸法、収納空間を上下方向に区成された棚空間の有効高さ寸法及びトレーの高さ寸法が、前記所定ピッチの寸法若しくはその倍数に基づいて設定されているものである請求項２又は３に記載の収納家具。
【請求項５】
収納家具が、収納空間内の立面に添接される一方の板面と奥行き方向に延びるレールを有する他方の板面とを有するトレー取付部材を具備し、該トレー取付部材を介して収納空間にトレーを取り付けるものである請求項２〜４のいずれかに記載の収納家具。
【請求項６】
前記一方の板面が、収納空間に棚板を取り付けるための棚取付孔に係合可能な係合部を有するものである請求項５に記載の収納家具。
【請求項７】
前記他方の板面が複数段に亘ってレールを有し、該レール同士の間隔が前記所定ピッチに等しいものである請求項５又は６に記載の収納家具。
【請求項８】
前記トレー取付部材が、レールに平行な方向に分割することが可能な破断誘発部を有するものである請求項６又は７に記載の収納家具。
【請求項９】
前記破断誘発部がレール単位で分割することが可能な位置に設けられているものである請求項８に記載の収納家具。
【発明の詳細な説明】
【技術分野】
【０００１】
本発明は、棚等の収納空間にトレーユニットを収納する収納家具に関するものである。
【背景技術】
【０００２】
従来より棚等の収納家具において、棚板の位置を適宜変更することにより、収納空間を水平方向に適宜仕切ることのできる態様のものが主流である。
【０００３】
一方、棚板を有さず、収納空間の側壁を奥行き方向に複数の突条を有するレール面を形成し、該レール面にトレーをスライド可能に係合させることにより、収納空間全体をトレーユニットとしたものもある。
【０００４】
さらには、特許文献１のように、棚板と略同様の構造を有する底板を具備するトレーユニットを側板間に架設することにより、上記機能を併せて実現して収納空間のレイアウトパターンを多様化させようとしている収納家具も考えられている。
【特許文献１】実開平２−１２７２２２号公報
【発明の開示】
【発明が解決しようとする課題】
【０００５】
しかしながら、近年のオフィスの形態の多様化に伴い、棚等の収納家具においてもそれに応じるように収納空間のレイアウトを多様に変更しうるものが求められている。そのような要望がある中で、従来のように、棚板を具備する収納家具における棚板の位置選択によるレイアウト変更や、トレーユニットを具備する収納家具におけるトレーの形状や位置の選択によるレイアウト変更では、上記要望に十分に対応しているとは言い難い。これらのようなものではオフィス内に棚とトレーユニットとを両方必要とする場合は収納家具を両方揃えなければならない。
【０００６】
そこで、棚板とトレーを同一の収納空間に設置できるものとして、特許文献１のような収納家具を用いれば上記要望に対し、ある程度対応することになるのであるが、特許文献１に記載された収納家具は予めトレーの形状・数が決められたトレーユニットを収納空間に設置するため、トレーを設置する態様が限られたものとなり、その分レイアウトの自由度が制限されることとなる。
【０００７】
本発明は、このような課題に着目してなされたものであって、本発明は棚等の収納家具において、棚板及びトレーを任意の箇所に選択可能に設置することにより、収納空間のレイアウト性能を向上させる収納家具を提供することを目的としている。
【課題を解決するための手段】
【０００８】
本発明は、このような目的を達成するために、次のような手段を講じたものである。すなわち、本発明に係る収納家具は、収納空間を上下方向に選択可能に区画する棚板と、収納空間を幅方向に選択可能に区画する縦仕切とを取り付けることが可能である収納家具であって、収納空間を区画した棚空間のうち、任意の棚空間にトレーを充填可能としていることを特徴とする。
【０００９】
このようなものであれば、棚板及び縦仕切により空間を様々な態様に仕切ることが可能であるとともに、任意の棚空間にトレーを設置することにより、例えば全面がトレーユニット、一部の所望位置がトレーといったように、オープンの収納空間を必要に応じてバリエーションに富んだ収納家具に仕立てることができる。
【００１０】
また、本発明に係る収納家具の具体的な実施の態様としては、収納空間を上下方向に選択可能に区画する棚板と、収納空間を幅方向に選択可能に区画する縦仕切とを取り付けることが可能である収納家具であって、収納空間において対面する一対の立面に、所定ピッチで配列する棚取付孔をそれぞれ位相を等しくして設け、該棚取付孔を利用して棚板及びトレーを位置選択可能に取り付けられるようにしたものが挙げられる。
【００１１】
このようなものであれば、収納家具に対してトレーユニットを取り付けるための加工を別途行うことなく、棚板を取り付けるための棚取付孔を利用してトレーを取り付けることができる。そうすることにより任意の箇所にトレーを取り付けることができるようになるので、収納空間内のレイアウトのバリエーションを向上させることができる。
【００１２】
収納空間内に棚板とトレーを混在させた状態においてもそれぞれが収納空間内で規則正しく配列させるため、本実施形態に係る収納家具は、前記トレーが、前記所定ピッチの寸法若しくはその倍数に基づいて高さ寸法が設定されたものであることが望ましい。そうすることにより収納空間の収納効率を高めることができるとともに外観の意匠的効果を向上させることができる。
【００１３】
また、本発明に係る収納家具は収納空間の有効高さ寸法、縦仕切の高さ寸法、収納空間を上下方向に区成された棚空間の有効高さ寸法及びトレーの高さ寸法が、前記所定ピッチの寸法若しくはその倍数に基づいて設定されているものであることが望ましい。このようなものであれば、収納空間内に棚板とトレーを任意に混在させて配置させても無駄な隙間空間を生じることなく規則正しく配列させることができるので、収納空間の収納効率をさらに高めることができる。
【００１４】
上述した「所定ピッチの寸法若しくはその倍数に基づいて」の「基づいて」とは、それらの寸法のみを指し示すのではなく、それらの寸法に設計上の都合を加味した寸法も含むという意である。
【００１５】
所望の箇所に容易にトレーを取付可能なものとするため、本実施形態に係る収納家具は、収納空間内の立面に添接される一方の板面と奥行き方向に延びるレールを有する他方の板面とを有するトレー取付部材を具備し、該トレー取付部材を介して収納空間にトレーを取り付けるものであっても良く、詳細には、トレーを取り付けるための加工を別途行うことなく棚板及びトレーを選択可能に取り付けるため、前記一方の板面に棚取付孔に係合可能な係合部を有するものが好ましい。
【００１６】
また、本発明に係る収納家具は、前記レールが他方の板面に複数段に亘って設けられる場合には、レール同士の間隔が前記棚取付孔同士の間隔に等しくなるように構成しておくことが望ましい。このようなものであれば、複数のレール同士の間隔に従ってトレーを配置すれば、棚取付孔同士の間隔に基づいてトレーを配置することができるので、収納空間内に棚板とトレーを混在させた状態においても無駄な空間を作らずに規則正しく配列させることが可能となる。そうすることにより意匠的効果を向上させるとともに収納空間の収納効率を高めることができる。
【００１７】
さらに、本発明に係る収納家具は、前記トレー取付部材が、レールに平行な方向に分割することが可能な破断誘発部を有し、該破断誘発部がレール単位で分割することが可能な位置に設けられているものであっても良い。このようなものであれば、レールの本数の少ないトレー取付部材を取り付けることもできるので、収納空間のレイアウトの自由度をさらに広げることが可能となるとともに、レールを１つずつ分割することも可能となるためにトレー取付部材が有するレール数を１本単位で調節することが可能となり、トレーを取り付ける箇所にのみレールを設けることができる。そうすることによりトレー取付部材と棚板とを互いに干渉させることなく好適に配置させることができ、ひいては収納空間のレイアウトのバリエーションをさらに広げることが可能となる。
【発明の効果】
【００１８】
以上に詳述した本発明によれば、棚等の収納家具において、同一の収納空間に棚板及びトレーを任意の箇所に選択可能に設置することにより、収納家具の有するレイアウト性能を向上させることができ、ひいてはオフィスの形態の多様化に十分に対応することが可能となる。
【発明を実施するための最良の形態】
【００１９】
以下、本発明の一実施の形態について図面を参照して説明する。
【００２０】
本実施形態に係る収納家具１は、図１及び図２（Ａ）に示すように、前面に開放された収納空間Ｓを有する収納家具本体１０と、該収納空間Ｓを上下方向に仕切る棚板Ｐ、Ｐ１、Ｐ２（破線）、Ｐ３と、収納空間Ｓを幅方向に仕切る縦仕切２、２０とを適宜用いて収納空間Ｓを上下方向・幅方向に区成することにより複数の棚空間Ｒを形成している。
【００２１】
この棚空間Ｒには幅や深さ（高さ）のそれぞれ異なるトレー４１、４２、４３、４４を配置している。トレー４１、４２、４３、４４は前面に鏡板４１０、４２０、４３０、４４０をそれぞれ有するとともに上面に開口を有する、いわゆる引出として機能するものである。また、トレー４１、４２、４３は、収納空間Ｓを３等分した棚空間Ｒの幅寸法に略対応するとともに前記所定ピッチの２倍・４倍及び６倍の有効高さ寸法にそれぞれ略対応したものであり、トレ―４４は収納空間Ｓの３分の２の幅寸法に対応するとともに前記所定ピッチの２倍の有効高さ寸法に略対応したものである。また、トレー４１、４２、４３、４４の側面からは、それぞれ奥行き方向に伸び、上下方向に互いに平行する２本の突条ｔ１、ｔ２がそれぞれ突出している（図１３）。
【００２２】
収納家具本体１０、棚板Ｐ、Ｐ１、Ｐ２、Ｐ３及び縦仕切２、２０はそれぞれ金属板を折り曲げ加工等することにより作成されている。
【００２３】
本実施形態に係る収納家具１は、図１〜６に示すように、多種類のレイアウトを構成することが可能である。
【００２４】
それらのレイアウトパターンを大きく分けると、図１に示すように収納空間Ｓ全体を棚板Ｐで仕切り、縦仕切２でさらに区成するレイアウトと、図２（Ａ）に示すように収納空間Ｓ全体を縦仕切２０で仕切り、棚板Ｐ１、Ｐ２或いはＰ３でさらに区成するレイアウトとが挙げられる。勿論、収納空間Ｓ全体を棚板Ｐ又は縦仕切２０で区成するのみといったレイアウトも可能である。
【００２５】
収納家具１の他のレイアウトパターンを図３〜６に例示的に示す。収納家具１は図３〜５のように、トレー４１、４２、４３、４４と棚板Ｐ、Ｐ１、Ｐ３を適宜並べ換えて配置しても上下方向に無駄な隙間空間を生ずることなく配列させることができる。勿論、トレー４１、４２、４３、４４及び棚板Ｐ、Ｐ１、Ｐ２、Ｐ３をそれぞれ所望の高さに設定することにより、図１〜５に示す以外にも多様なレイアウトを構成することが可能である。さらに、図６のように収納空間Ｓの全面に亘ってトレー４１、４２及び４３を充填することも可能である。
【００２６】
次に、本実施形態に係る収納家具１の構造について具体的に説明する。
【００２７】
収納家具本体１０は上側に位置する頂板１１、下側に位置する底板１２及び両側に起立している１対の側板１３、１４及び収納家具１の後方を閉鎖する背板１５により構成されている。
【００２８】
収納空間Ｓの上端に位置する頂板１１は、その両側端が１対の側板１３、１４に、後端が背板１５にそれぞれ接続されている。頂板１１の上面は、図１及び図２（Ａ）のように平板状の化粧面として意匠的要素を担っているとともに、図示しない下面は金属板を適宜屈曲させることにより幅方向に延びる直方体状の桟ｕを前記上面とともに形成することにより、頂板１１全体のたわみ強度を向上させている。また下面には、収納空間Ｓを幅方向に２等分する箇所と３等分する箇所に後述する縦仕切２を接続させるための固定箇所としてのねじ孔Ｎを設けることにより、後述する上壁Ｕの役割を果たしている。
【００２９】
収納空間Ｓの下端に位置する底板１２は、その両側端からは１対の側板１３、１４が起立するとともに、後端は背板１５に接続している。底板１２の上面には収納空間Ｓを幅方向に２等分する箇所と３等分する箇所に、円形状のハーフパンチｈｐが前端付近及び後端付近の２箇所にそれぞれ設けられることにより、後述する下壁Ｄの役割を果たしている。
【００３０】
１対の側板１３、１４は上端を頂板１１に、下端を底板１２に、後端を背板１５にそれぞれ接続した状態で左右略対称に起立しており、底板１２の外側面はそれぞれ平板状の化粧面として意匠的要素を担っているとともに、収納空間Ｓに臨む内側面には、それぞれ棚板Ｐを取り付けるための棚取付孔ｈが設けられている。
【００３１】
棚取付孔ｈは、同じ高さにおいて立面の奥方と手前方に２箇所ずつ設けられた前後方向に延びるスリット状の孔であり、該孔の両端は半円状に処理されている。また、この棚取付孔ｈは側板１３、１４の上端付近から下端付近に亘り所定ピッチで配列している。棚取付校ｈのピッチ幅は２３．４ｍｍに設定しており、棚取付孔ｈの位置は両側板１３、１４において位相が等しくなるよう設定されている。また、収納空間Ｓの有効高さ寸法も前記所定ピッチに基づいた寸法に設定されている。
【００３２】
背板１５は前記頂板１１、底板１２及び１対の側板１３、１４の後端と接続することにより収納空間Ｓの背面を閉鎖するとともに収納家具１全体の強度を向上させる役割を果たしている。
【００３３】
また、本実施形態に係る収納家具１は、図１及び図２（Ａ）に示すように、１対の側板１３、１４間に架設することにより収納空間Ｓの全幅を仕切る棚板Ｐを設けることができる他に、図２（Ａ）に示すように、１対の側板１３、１４のいずれかと後述する縦仕切２０との間に架設することにより、その間に区成された収納空間Ｓを仕切る棚板Ｐ１、Ｐ２、Ｐ３を設けることができるようにしている。
【００３４】
収納空間Ｓの全幅を仕切る棚板Ｐは、上面に前述した底板１２と同じく、収納空間Ｓを幅方向に２等分する箇所と３等分する箇所に円形状のハーフパンチｈｐが前後２箇所にそれぞれ設けられている。また、下面は金属板を適宜屈曲させることにより幅方向に延びる直方体状の桟ｕを前記上面とともに形成することにより、たわみ強度を向上させているとともに、ハーフパンチｈｐが設けられた箇所に対応している下面には、縦仕切２、２０を接続させるためのねじ孔Ｎが設けられている。つまり、本実施形態における棚板Ｐは、上壁Ｕと下壁Ｄの役割を両方果たすことができるものである。
【００３５】
また、図２（Ａ）では、側板１３と後述する縦仕切２０との間に棚板Ｐ１および棚板Ｐ３が架設されており、縦仕切２０の位置を変更することで、破線で示した幅寸法違いの棚板Ｐ２を取り付けることも可能としている。これらの棚板Ｐ１、Ｐ２、Ｐ３は、前述の棚板Ｐのようにハーフパンチｈｐは設けられていないが、その他の基本的な構造は前述の棚板Ｐと同様である。
【００３６】
上述した各棚板Ｐ、Ｐ１、Ｐ２、Ｐ３を棚取付孔ｈに取り付ける態様として、図２（Ｂ）に示す棚爪Ｑを、図２（Ｃ）のようにその上部ｑ１を棚取付孔ｈに挿入し、その際に棚取付孔ｈより水平方向に突出する下部ｑ２の箇所に、図２（Ｄ）に示す棚板（図においては棚板Ｐ３）の側縁に設けた切込ｐの箇所を合わせて載置するものとしている。このように、棚板Ｐ３の側縁に切込ｐを設けることにより適切な位置に棚板Ｐ３を設置することができるのみならず、切込ｐは、棚板Ｐ３が前後に動くことを防止するストッパとしての役割を果たしている。
【００３７】
図１における縦仕切２は、棚板Ｐにより上下方向に３等分された収納空間Ｓを仕切るを幅方向に仕切るために配置可能なものである。また、図２（Ａ）における縦仕切２０は、収納空間Ｓの頂板１１から底板１２までの全丈を幅方向に仕切るために配置可能なものである。
【００３８】
縦仕切２は、図７に示すように上端に固定片２１が取り付けられているとともに、下端に前端付近及び後端付近に２つの円柱状突起２２が設けられている。固定片２１は金属板を直角に屈曲させたもので、基部２１１が縦仕切２の上端部分前方側に溶接により固着されるとともに、該基部２１１より固定部２１２が垂直に立ち上っている。固定部２１２は縦仕切２の立面に直交する板状のもので、その固定部２１２には桟ｕに設けられたねじ孔Ｎに固定できるよう、ねじ挿通孔２１３が設けられている。縦仕切２の両側面には、側板１３、１４同様の棚取付孔ｈが２３．４ｍｍピッチで設けられている。図２（Ａ）に示した縦仕切２０は、縦仕切２と同じく固定片２１、円柱状突起２２及び棚取付孔ｈを有するが（図示せず）、縦寸法が収納空間Ｓの全丈に対応したものである。縦仕切２、２０に設けられた棚取付孔ｈは、収納空間Ｓに取り付けた際に対向する立面に設けられた棚取付孔ｈと位相が等しくなるように位置が設定されている。
【００３９】
次に、縦仕切２を、上壁Ｕ及び下壁Ｄによって上下を区成された収納空間Ｓに取り付ける態様について、図８及び図９の模式的な側面図及び正面図を基に説明する。下壁Ｄの前端付近と後端付近に位置する２つのハーフパンチｈｐを予め手近な工具等を使って打ち抜き、しかる後、その打ち抜いた穴に円柱状突起２２を図９（Ａ）に示すように斜め方向から挿入することにより下壁Ｄ側に対して縦仕切２の位置決めを行う。その状態から縦仕切２を垂直に起こして固定部２１２に設けられたねじ挿通孔２１３を桟ｕに設けられたねじ孔Ｎに合致させ、しかる後、ねじ挿通孔２１３及びねじ孔Ｎを利用してねじＢにより固定することによって、上壁Ｕへの位置決め固定を行なう。そうすることにより縦仕切２は下壁Ｄには２箇所において位置決めがなされることにより１箇所を支点に旋回すること等が禁止されるとともに、上壁Ｕの１箇所において位置決めがなされることにより起立状態が維持され、計３箇所で縦仕切２は上壁Ｕ及び下壁Ｄ間に簡単、確実に固定される。
【００４０】
以上のような収納家具１に対して、本実施形態は、棚取付孔ｈを設けた箇所にトレー４１、４２、４３或いは４４を設置するため、その箇所に図１０に示すようなトレー取付部材３ａ、３ｂを添接することが可能である。トレー取付部材３ａ、３ｂは、収納空間Ｓ内の対向するそれぞれの立面に添接できるよう、左右対称の形状をした一対の板状部材であり、棚取付孔ｈを有する側板１３、１４及び縦仕切２、２０にそれぞれ添接することにより配置可能なものである。また、このトレー取付部材３ａ、３ｂは低コストでの生産を可能なものとするため、樹脂により一体成形されている。
【００４１】
また、トレー取付部材３ａ、３ｂは、側板１３、１４及び縦仕切２、２０に添接する一方の板面を添接面３１ａ、３１ｂとし、他方の板面をレール面３３ａ、３３ｂとしている。また、トレー取付部材３ａは棚空間Ｒの左側の立面に、トレー取付部材３ｂは棚空間Ｒの右側の立面に添接するためのものである。
【００４２】
添接面３１ａ、３１ｂは棚取付孔ｈに対応する箇所に、図１０に示すように、添接面３１ａ、３１ｂ側に突出する係合部３２ａ、３２ｂが突設してある。係合部３２ａ、３２ｂの形状は、棚取付孔ｈに差し込んでスライドさせることにより当該棚取付孔ｈに緊密に係合するように、立ち上がりの部分から奥行き方向に先端部を延出させた鉤形をなすもので、先端部と添接面３１ａ、３１ｂとの隙間で側板１３、１４及び縦仕切２、２０を構成する板材ｓを挟持する挟持部ｘとなしている。この実施形態における前記挟持部ｘの隙間は０．６ｍｍ、有効深さは５ｍｍ程度に設定されている（図１２）。
【００４３】
一方、レール面３３ａ、３３ｂには、奥行き方向ほぼ全幅に亘って延びるレール３４ａ、３４ｂが複数段に亘って設けられている。レール３４ａ、３４ｂは一定突出高さの突条であり、その前端側に突条をさらに高く突出させることによりトレー止め３５ａ、３５ｂを形成している。
【００４４】
前記係合部３２ａ、３２ｂ及びレール３４ａ、３４ｂは棚取付孔ｈが上下方向に設けられているピッチと同じく２３．４ｍｍピッチで設けられている。
【００４５】
次に、トレー取付部材３ａ、３ｂを収納空間Ｓへ取り付ける態様について図１１及び図１２に基づいて説明する。
【００４６】
まず、図１１は収納家具本体１０に、棚板Ｐ及び縦仕切２を用いて上下方向及び幅方向に仕切った収納空間Ｓにトレー取付部材３ａ、３ｂを取り付ける態様を例示している。このように収納空間Ｓの前面からトレー取付部材３ａ、３ｂをそれぞれ搬入し、トレー取付部材３ａを縦仕切２の右側面に、トレー取付部材３ｂを側板１４の左側面に添接させている。
【００４７】
図１２に係合部３２ａが棚取付孔ｈを利用して板材ｓに固定される原理を示す。同図はレール３４ａの前端に位置するトレー止め３５ａ付近における模式的な断面図である。まず、係合部３２ａをそれぞれ棚取付孔ｈの近傍に位置づけ（図１２（Ａ））、棚取付孔ｈに係合部３２ａを挿入する（図１２（Ｂ））。そして挟持部ｘの端点ｘ１が板材ｓに当接するまで奥方へスライドさせる（図１２（Ｃ））。この位置において、挟持部ｘは板材ｓを確実に挟持することにより、トレー取付部材３ａが板材ｓに確実に固定された状態となる。
【００４８】
次に、トレー取付部材３ａ、３ｂにトレー４１を取り付ける態様について図１３に基づいて説明する。同図はその取付状態におけるレール３４ａ付近の模式的な断面図である。レール３４ｂ付近については図１３と左右対称の態様をなすとともに、他のトレー４２、４３或いは４４を収納する場合においても勿論同様である。
【００４９】
まず、１対のトレー取付部材３ａ、３ｂを前述の通り取り付けた状態において、レール面３３ａ、３３ｂに挟まれた空間にトレー４１を入れる。ここで、図１３に示すようにトレー４１が有する上下２本の突条ｔ１、ｔ２の外寸はレール３４ａ、３４ａ間の内寸よりやや小さく設定されているため、上下２本の突条ｔ１、ｔ２は上下のレール３４ａ、３４ａ間に挟まれることによりトレー４１が上下方向に規制されるとともに奥行き方向へのスライドが可能となる。このとき、トレー４１が有する突条ｔ１、ｔ２の内、トレー４１を支持するのは下側の突条ｔ２のみであるが、トレー４１を移動させる際に上側の突条ｔ１が上側のレール３４ａに必要に応じて接することによりトレー４１の上下方向の動きが制限され、スライド移動時のがたつきが抑制される。また、トレー止め３５ａがトレー４１の鏡板４１０と当接することにより、トレー４１が誤って奥方へ行き過ぎることはなくトレー４１が位置決めされた状態となる。そうすることにより、トレー４１を複数配列させた状態においても鏡板４１０の前端面が前後にばらつくことなく面一となるため、トレーユニットとしての意匠的な効果を保持することができる。
【００５０】
また、トレー４１をスライドさせることに伴う、トレー取付部材３ａ、３ｂとトレー４１との摩擦によりトレー取付部材３ａ、３ｂが板材ｓに対してスライドする力が僅かに働くこととなる。そのため、挟持部ｘと板材ｓとを隔離させる方向にも僅かに前記摩擦力が加わることとなるが、トレー取付部材３ａ、３ｂは挟持部ｘの挟持力及び板材ｓと添接面３１ａ、３１ｂとの摩擦力により確実に固定されているとともに、トレー４１はレール３４ａ、３４ｂに沿って円滑にスライドするため、トレー４１がトレー取付部材３ａ、３ｂに加える摩擦力は相対的に僅かなものであり、その摩擦力によりトレー取付部材３ａ、３ｂがスライドして棚取付孔ｈから外れてしまうということはない。他のトレー４１、４２或いは４３が取り付けてある状態ではなおさらである。
【００５１】
以上に記した構成とすることにより、本実施形態に係る収納家具１は収納空間Ｓを区画した棚空間Ｒのうち、任意の棚空間Ｒにトレー４１、４２、４３、４４を充填可能としているので、例えば全面がトレーユニット、一部の所望位置がトレー４１、４２、４３或いは４４といったように、オープンの収納空間Ｓを必要に応じてバリエーションに富んだ収納家具１に仕立てることができ、ひいてはオフィス内の間取りに適したレイアウトを構築することができる。
【００５２】
また、収納家具１の具体的な構成として、対面する一対の立面に棚取付孔ｈをそれぞれ所定ピッチである２３．４ｍｍ間隔で位相を等しくして設け、該棚取付孔ｈを利用して棚板Ｐ、Ｐ１、Ｐ２、Ｐ３及びトレー４１、４２、４３、４４を位置選択可能に取り付けるようにしている。そうすることにより、収納家具１に対してトレーユニットを取り付けるための加工を別途行うことなく、トレー４１、４２、４３、４４を取り付けることができるので、収納空間Ｓ内のレイアウトのバリエーションを向上させることができるとともにトレーユニットの増設や配置転換等を省力的に行うことができる。
【００５３】
さらに、収納空間Ｓ内に棚板Ｐ、Ｐ１、Ｐ２、Ｐ３とトレー４１、４２、４３、４４を混在させた状態においてもそれぞれを規則正しく配列させるため、前記トレー４１、４２、４３、４４が、前記所定ピッチの寸法若しくはその倍数に基づいて有効高さ寸法が設定されているものとしている。そうすることにより収納空間Ｓの収納効率を高めることができるとともに意匠的効果を向上させることができる。加えて、使用者はトレーユニットの配列も容易に変更することができる。
【００５４】
特に、本発明に係る収納家具１は収納空間Ｓの有効高さ寸法、縦仕切２、２０の高さ寸法、収納空間Ｓを上下方向に区成された棚空間Ｒの有効高さ寸法及びトレー４１、４２、４３、４４の高さ寸法を、前記所定ピッチである２３．４ｍｍの倍数に基づいて設定している。このような設定とすることにより、収納空間Ｓ内に棚板Ｐ、Ｐ１、Ｐ２、Ｐ３とトレー４１、４２、４３、４４を任意に混在させて配置させても無駄な隙間空間を生じることなく規則正しく配列させることができ、収納空間Ｓの収納効率をさらに向上させることができる。加えて、収納空間Ｓ内に自由にトレーユニットを好適に配置させることができる。
【００５５】
ここで上述した、「基づいて」とは、それらの寸法のみを指し示すのみならず、それらの寸法に設計上の都合を加味した寸法をも含むことを意味する。例えば、トレー４１、４２、４３、４４の高さ寸法は、前記所定ピッチの倍数寸法から隙間寸法が差し引かれて設定されており、このような寸法も前記所定ピッチの倍数寸法に「基づいて」いる。
【００５６】
そして、所望の箇所に容易にトレー４１、４２、４３、４４を取付可能なものとするため、本実施形態に係る収納家具１は、収納空間Ｓ内の立面に添接される一方の板面たる添接面３１ａ、３１ｂと奥行き方向に延びるレール３４ａ、３４ｂを有する他方の板面たるレール面３３ａ、３３ｂとを有するトレー取付部材３ａ、３ｂを具備し、該トレー取付部材３ａ、３ｂを介して収納空間Ｓにトレー４１、４２、４３、４４を取り付けている。
【００５７】
収納家具１にトレー４１、４２、４３、４４を取り付けるための加工を別途行うことなく棚板Ｐ、Ｐ１、Ｐ２、Ｐ３及びトレー４１、４２、４３、４４を選択可能かつ容易に取り付けるようにするため、トレー取付部材３ａ、３ｂの一方の板面たる添接面３１ａ、３１ｂに棚取付孔ｈに係合可能な係合部３２ａ、３２ｂを有している。
【００５８】
さらに、レール３４ａ、３４ｂが他方の板面たるレール面３３ａ、３３ｂに複数段に亘って設けられ、レール３４ａ、３４ｂ同士の間隔を前記所定ピッチである２３．４ｍｍとしている。このようなものであれば、複数のレール３４ａ、３４ｂ同士の間隔に従ってトレー４１、４２、４３、４４を配置すれば、棚取付孔ｈ同士の間隔に基づいてトレー４１、４２、４３、４４を配置することとなるので、収納空間Ｓ内に棚板Ｐ、Ｐ１、Ｐ２、Ｐ３とトレー４１、４２、４３、４４を混在させた状態においても無駄な隙間空間を作らずに規則正しく配列させることが可能となる。そうすることにより意匠的効果を向上させるとともに収納空間Ｓの収納効率を高めることができる。
【００５９】
本発明は上記実施形態に限定されるものではない。
【００６０】
例えば、本発明の他の実施形態に係るトレー取付部材３ｃを図１４に示す。このトレー取付部材３ｃの基本的な構成については上記実施形態におけるトレー取付部材３ａ、３ｂと略同様であるが、溝状の破断誘発部３６をレール３４ｃに平行な方向に設け、トレー取付部材３ｃを適宜分割することができるものである。破断誘発部３６はレール３４ｃと同じく２３．４ｍｍピッチで設けられており、レール３４ｃごとに分割することが可能である。
【００６１】
このようなものであれば、例えば、上下を区切られた収納空間Ｓの上下寸法がトレー取付部材ｃより短い場合であっても破断誘発部３６の位置で適宜破断して取り付けることができるので、トレー４１、４２、４３或いは４４と、棚板Ｐ、Ｐ１、Ｐ２、或いはＰ３とを収納空間Ｓ内にレイアウトする自由度を向上させることができる。また、破断誘発部３６は棚取付孔ｈ及びレール３４ｃと同一ピッチで設けられているため、レール３４ｃの段数を１つ単位で変更することもできる。このようなものであれば、例えば、トレー４１、４２、４３或いは４４を１つのみ取り付けたい場合を含めて、取り付けたい箇所にのみレール３４ｃを設けることもできるので、収納空間Ｓのレイアウトのバリエーションはさらに広げられることとなる。
【００６２】
なお、所定ピッチの寸法や、棚爪の形状や棚板に設ける切込の寸法や形状など、各部の具体的な構成は、上述した実施形態のみに限定されるものではなく、本発明の趣旨を逸脱しない範囲で種々変形が可能である。
【図面の簡単な説明】
【００６３】
【図１】本発明の実施形態に係る収納家具を示す斜視図。
【図２（Ａ）】同収納家具を他のレイアウトパターンにおいて示す斜視図。
【図２（Ｂ）】同実施形態に係る棚爪を示す斜視図。
【図２（Ｃ）】同実施形態に係る棚板の取付態様を示す断面図。
【図２（Ｄ）】同実施形態に係る棚板を示す模式図。
【図３】同実施形態に係る収納家具を示す模式図。
【図４】同実施形態に係る収納家具を示す模式図。
【図５】同実施形態に係る収納家具を示す模式図。
【図６】同実施形態に係る収納家具を示す模式図。
【図７】同実施形態に係る縦仕切を示す斜視図。
【図８】同実施形態に係る縦仕切の取付構造を示す模式図。
【図９】同実施形態に係る縦仕切の取付構造を示す模式図。
【図１０】同実施形態に係るトレー取付部材を示す斜視図。
【図１１】同実施形態に係る斜視図。
【図１２】同実施形態に係るトレー取付部材を示す断面模式図。
【図１３】同実施形態に係るトレー取付部材を示す断面模式図。
【図１４】本発明における他の実施形態に係る斜視図。
【符号の説明】
【００６４】
１  …収納家具
１０…収納家具本体
１１…頂板
１２…底板
１３、１４…側板
２、２０…縦仕切
２１…固定片
２２…円柱状突起
３ａ、３ｂ、３ｃ…トレー取付部材
３１ａ、３１ｂ…添接面
３２ａ、３２ｂ…係合部
３３ａ、３３ｂ…レール面
３４ａ、３４ｂ、３４ｃ…レール
３５ａ、３５ｂ…トレー止め
３６…破断誘発部
４１、４２、４３、４４…トレー
４１０、４２０、４３０、４４０…鏡板
Ｐ、Ｐ１、Ｐ２、Ｐ３…棚板
Ｒ  …棚空間
Ｓ  …収納空間
Ｕ  …上壁
Ｄ  …下壁
ｈ  …棚取付孔
ｈｐ…ハーフパンチ
【図１】
2005124748.tif 000003
【図２（Ａ）】
2005124748.tif 000004
【図２（Ｂ）】
2005124748.tif 000005
【図２（Ｃ）】
2005124748.tif 000006
【図２（Ｄ）】
2005124748.tif 000007
【図３】
2005124748.tif 000008
【図４】
2005124748.tif 000009
【図５】
2005124748.tif 000010
【図６】
2005124748.tif 000011
【図７】
2005124748.tif 000012
【図８】
2005124748.tif 000013
【図９】
2005124748.tif 000014
【図１０】
2005124748.tif 000015
【図１１】
2005124748.tif 000016
【図１２】
2005124748.tif 000017
【図１３】
2005124748.tif 000018
【図１４】
2005124748.tif 000019